(57)【要約】【課題】配電線工事の作業をより安全に行う。【解決手段】端末カバー１は、電線の端末を被って絶縁保護するものであり、カバー本体２と、絶縁性の第１挿入部５ａおよび第２挿入部５ｂとを備える。第１および第２挿入部５ａ，５ｂは、カバー本体２に設けられ、各電線の端末を係止する。第１挿入部５ａには、２本の電線のうち一の電線の端末が挿入される開口７ａを有する有底筒形状の第１挿入穴６ａを形成する。第２挿入部５ｂには、２本の電線のうち他の電線の端末が挿入される開口７ｂを有する有底筒形状の第２挿入穴６ｂを形成する。第１挿入穴６ａの開口７ａから底８ａへの向きと、第２挿入穴６ｂの開口７ｂから底８ｂへの向きとを逆向きとする。【選択図】図２
2007288885.tif 000002
【特許請求の範囲】
【請求項１】
間接活線工具を用いた工事を行う際に、工事後に互いに接続される２本の電線の端末を被って絶縁保護する端末カバーであって、
カバー本体と、
上記カバー本体に設けられ、上記２本の電線のうち一の電線の端末を係止する絶縁性の第１挿入部と、
上記カバー本体に設けられ、上記２本の電線のうち他の電線の端末を係止する絶縁性の第２挿入部と、
を備え、
上記第１挿入部には、上記一の電線の端末が挿入される開口を有する有底筒形状の第１挿入穴が形成されており、
上記第２挿入部には、上記他の電線の端末が挿入される開口を有する有底筒形状の第２挿入穴が形成されており、
上記第１挿入穴の開口から底への向きと、上記第２挿入穴の開口から底への向きとが逆向きである、端末カバー。
【請求項２】
請求項１の端末カバーにおいて、
上記第１挿入穴の底が、上記第２挿入穴の筒の軸方向における該第２挿入穴の底よりも上記第２挿入穴の開口側に設けられている、端末カバー。
【請求項３】
請求項１または２の端末カバーにおいて、
上記カバー本体が透明であり、上記第１挿入部および第２挿入部に係止された上記電線の端末が目視可能である、端末カバー。
【請求項４】
請求項１から３のいずれか１つの端末カバーにおいて、
上記カバー本体に設けられており、上記間接活線工具によって挟むための凹状の把持部をさらに備えている、端末カバー。
【請求項５】
請求項１から４のいずれか１つの端末カバーにおいて、
上記第１挿入穴および第２挿入穴は、上記開口から底に向かってテーパ状に形成されている、端末カバー。
【発明の詳細な説明】
【技術分野】
【０００１】
本発明は、間接活線工具を用いた工事を行う際に、工事後に互いに接続される２本の電線の端末を被って絶縁保護する端末カバーに関するものである。
【背景技術】
【０００２】
従来より、架空配電線において、間接活線工具を用いて活線部分に直接触れずに作業を行う、間接活線工法が知られている。この間接活線工法よる配電線工事を行う際に、電線を切断し、電線端末のそれぞれに端末キャップを取り付けて、電線端末を絶縁して作業を行うことが知られている（例えば、特許文献１参照）。工事終了後は、各電線端末を端末キャップから抜き取り、電気的に接続する。
【特許文献１】特開平１０−４０７５８号公報
【発明の開示】
【発明が解決しようとする課題】
【０００３】
しかしながら、上記特許文献１の端末キャップでは、各電線端末は、別々の端末キャップで被われ、固定されない。このため、電線端末が相互に接触したり、電柱、腕金等に接触して、地絡または短絡する場合がある。これを防ぐために、それぞれの電線端末が接続方向と反対側に向くように、電線を曲げてくせづけし、クリップ等で挟んで固定している。しかし、電線の接続時には、電線に一度つけたくせを直して、接続できるようにしなくてはならない。このくせ直しのときに、電線端末が相互に接触しやすくなり危険であるという問題がある。
【０００４】
本発明は、かかる点に鑑みてなされたものであり、その目的とするところは、配電線工事の作業をより安全に行うことにある。
【課題を解決するための手段】
【０００５】
本発明に係る端末カバーは、間接活線工具を用いた工事を行う際に、工事後に互いに接続される２本の電線の端末を被って絶縁保護する端末カバーであって、カバー本体と、上記カバー本体に設けられ、上記２本の電線のうち一の電線の端末を係止する絶縁性の第１挿入部と、上記カバー本体に設けられ、上記２本の電線のうち他の電線の端末を係止する絶縁性の第２挿入部と、を備え、上記第１挿入部には、上記一の電線の端末が挿入される開口を有する有底筒形状の第１挿入穴が形成されており、上記第２挿入部には、上記他の電線の端末が挿入される開口を有する有底筒形状の第２挿入穴が形成されており、上記第１挿入穴の開口から底への向きと、上記第２挿入穴の開口から底への向きとが逆向きである。
【０００６】
上記の構成によれば、電線を切断して工事を行う際に、切断された電線の両端末を１つの端末カバーに係止させ、工事終了後は、両電線端末を電気的に接続し直す。すなわち、一方の電線の端末を他の電線の端末側に向けたまま、第１挿入穴の開口から挿入し、第１挿入部に係止させる。上記第１挿入穴の開口から底への向きと、上記第２挿入穴の開口から底への向きとが逆向きである。このため、第１挿入穴の開口を一方の電線の端末側に向けて、両電線の端末の間に端末カバーを持って行くと、第２挿入穴の開口は他の電線の端末側に向かって開いている。したがって、両電線の端末を接続し直す方向に向けたまま、第１および第２挿入穴に挿入し、第１および第２挿入部に係止することができる。絶縁性の第１および第２挿入部で両電線の端末を被うので、電線の端末が絶縁保護される。各電線は、別々のカバーで被われるのではなく、１つの端末カバーに係止されて固定されるので、誤って他物に接触する危険が抑制される。工事終了後、各電線の端末を第１および第２挿入部から抜き出し、電気的に接続し直す。各電線を曲げずに、接続する方向に向けたまま、第１および第２挿入部に係止するので、接続の際の電線の動きが少なくてすみ、電線の端末相互の接触を抑制することができる。
【発明の効果】
【０００７】
本発明によれば、配電線工事の作業をより安全に行うことができる。
【発明を実施するための最良の形態】
【０００８】
以下、本発明の実施形態を図面に基づいて詳細に説明する。
【０００９】
《発明の実施形態１》
本発明の実施形態に係る端末カバー１は、図１に示すように、間接活線工法による配電線工事の際に、切断し、縁切りされた電線端末２２，２２を被って絶縁保護するためのものである。
【００１０】
図２に示すように、端末カバー１は、直方体形状のカバー本体２と、電線端末２２を係止する第１挿入部５ａおよび第２挿入部５ｂとを備えている。なお、図２において上側となる側をカバー本体２の上側、下側となる側をカバー本体２の下側とする。また、図２において右下側（図３において右側）となる面をカバー本体２の直方体の前側面３ａ、左上側となる面をカバー本体２の後側面３ｂ、左下側（図３において下側）となる面をカバー本体２の右側面３ｃ、右上側となる面をカバー本体２の左側面３ｄとする。
【００１１】
第１および第２挿入部５ａ，５ｂは、カバー本体２に設けられている。第１挿入部５ａには、有底筒形状の第１挿入穴６ａが形成され、同様に、第２挿入部５ｂには、有底筒形状の第２挿入穴６ｂが形成されている。具体的には、第１および第２挿入部５ａ，５ｂは、カバー本体２の一部分であり、第１および第２挿入穴６ａ，６ｂを構成する、これらの周辺部である。
【００１２】
第１および第２挿入穴６ａ，６ｂは、電線端末２２が挿入される開口７ａ，７ｂをそれぞれ有している。
【００１３】
図３に示すように、開口７ａは、カバー本体２の前側面３ａに開けられている。開口７ａは、前側面３ａの上下方向略中央で、前側面３ａの左右方向中央よりも右側面３ｃ側に開けられている。第１挿入穴６ａは、開口７ａから、カバー本体２の後側面３ｂに向かって形成されている。第１挿入穴６ａは、開口７ａから、第１挿入穴６ａの底８ａに向かってテーパ状に形成されている。開口７ａの径は、電線端末２２の径よりも大きくなるように形成され、底８ａの径は、電線端末２２の径よりも小さくなるように形成されている。
【００１４】
開口７ｂは、カバー本体２の後側面３ｂに開けられている。開口７ｂは、後側面３ｂの上下方向略中央で、後側面３ｂの左右方向中央よりも左側面３ｄ側に開けられている。第２挿入穴６ｂは、開口７ｂから、カバー本体２の前側面３ａに向かって形成され、開口７ｂから、第２挿入穴６ｂの底８ｂに向かってテーパ状に形成されている。第２挿入穴６ｂは、第１挿入穴６ａと同じ形状および大きさに形成されている。
【００１５】
このように、第１挿入穴６ａの開口７ａから底８ａへの向きと、第２挿入穴６ｂの開口７ｂから底８ｂへの向きとが逆向きである。
【００１６】
第１挿入穴６ａと第２挿入穴６ｂとは、互いの筒の軸が平行となるように形成されている。そして、第１挿入穴６ａの底８ａが、第２挿入穴６ｂの筒の軸方向、すなわちカバー本体２の前後方向における第２挿入穴６ｂの底８ｂよりも開口７ｂ側に位置するように、第１挿入穴６ａが形成されている。具体的には、第１挿入穴６ａの底８ａは、カバー本体２の前後方向中央よりも後側面３ｂ側に設けられている。これとともに、第２挿入穴６ｂの底８ｂは、カバー本体２の前後方向中央よりも前側面３ａ側に設けられている。このため、各電線端末２２の先端同士が、近づいた状態で係止されるので、電線端末２２の接続の際の電線２１の動きが少なくてすむ。したがって、接続をより容易に行うことができ、電線端末２２，２２相互の接触を抑制することができる。
【００１７】
カバー本体２は、ゴム、樹脂等の電気絶縁性の材料からなっており、従って、第１および第２挿入部５ａ，５ｂも絶縁性である。このように、第１および第２挿入穴６ａ，６ｂに挿入された電線端末２２が、絶縁性の第１および第２挿入部５ａ，５ｂに被われることで、絶縁保護されるようになっている。
【００１８】
開口７ａと開口７ｂとが、カバー本体２の左右方向の位置が重複しないように、所定の間隔を空けて形成されて、第１挿入穴６ａと第２挿入穴６ｂとが離隔して形成されている。このため、電線端末２２，２２同士が、カバー本体２内で導通しないように、第１および第２挿入部５ａ，５ｂにおいて離隔して係止されるので、安全に電線端末２２を絶縁保護することができる。
【００１９】
カバー本体２は透明である。これは、第１および第２挿入部５ａ，５ｂに挿入された電線端末２２が目視可能となる程度の透明度を意味する。
【００２０】
カバー本体２には、後述する間接活線工具４０によって挟むための凹状の把持部１０が設けられている。具体的には、把持部１０は、カバー本体２の上側面４ａに平面視十字状に凹んで形成された上側凹部１１と、同様に、下側面４ｂに平面視十字状に凹んで形成された下側凹部１２とによって構成されている。このため、カバー本体２の前後方向からでも左右方向からでも、間接活線工具４０により挟むことができる。
【００２１】
図１に、架空配電線３０の一部を示す。架空配電線３０は、発電所または変電所から送られる電気を運ぶ電線路であり、電柱３１、電柱間に架設される電線２１、電線２１を絶縁支持する碍子３７等を含む。電柱３１の上部側方には、取付金具３３によって腕金３２が取り付けられている。腕金３２は、振分金具３４に挟持されている。振分金具３４の腕金３２の両側方には、支持筒３５，３５がかしめられている。各支持筒３５，３５には、碍子３７と振分金具３４とを連結するストラップ３６の基端がそれぞれ取り付けられている。各ストラップ３６，３６の先端には、２つ連なった碍子３７，３７が、それぞれ結合されている。両端の碍子３７，３７には、引留クランプ３９の一端がそれぞれ取り付けられている。各引留クランプ３９には、他の電柱から引かれた電線２１である本線２１ａの一端がそれぞれ引き留められている。各引留クランプ３９，３９には、さらに、本線２１ａの引留側と反対方向に、電線２１である縁回し線２１ｂがそれぞれ引き留められている。各電線２１は、導体（図示せず）が絶縁被膜２３で被われて構成されている。
【００２２】
次に、本発明の実施形態に係る端末カバー１を用いて、配電線工事を行う方法について説明する。
【００２３】
配電線工事は、間接活線工法により行う。間接活線工法とは、電線２１を通電させたままの状態で、間接活線工具４０を用いて、活線部分に直接触れずに作業を行う工法である。
【００２４】
図４に、間接活線工具４０を示す。間接活線工具４０は、対象物を挟んで保持する挟持部４１と、作業者が把持する操作部４２とを備えている。挟持部４１と操作部４２とは、連結棒４３と補助連結棒４４とによって連結されている。操作部４２を作業者が操作すると、補助連結棒４４が操作部４２側に移動して挟持部４１が対象物を挟持するように構成されている。
【００２５】
まず、縁回し線２１ｂの一箇所を切断する。切断された縁回し線２１ｂの各電線端末２２，２２は、絶縁被膜２３で被ったままとするか、もしくは、絶縁被膜２３を剥ぎ取って導体を露出させる。
【００２６】
間接活線工具４０の操作部４２を操作して、端末カバー１の把持部１０である上側凹部１１および下側凹部１２を、間接活線工具４０の挟持部４１で挟む。把持部１０を挟むことによって、挟持部４１でカバー本体２を堅固に把持することができる。このため、間接活線工具４０によって端末カバー１を正確に動かすことができるので、作業性が向上する。
【００２７】
カバー本体２の前後方向が、縁回し線２１ｂの延びる方向となるように、端末カバー１を向けて、間接活線工具４０によって、端末カバー１を両電線端末２２，２２の間に移動させる。
【００２８】
一方の電線端末２２を他方の電線端末２２側に向けたまま、第１挿入穴６ａの開口７ａから挿入する。第１挿入穴６ａは、テーパ状に形成されているため、第１挿入穴６ａの径が、電線端末２２の径と略同一である部分まで電線端末２２を挿入すると、電線端末２２が第１挿入部５ａに係止される。
【００２９】
他方の電線端末２２を一方の電線端末２２側に向けたまま、第２挿入穴６ｂの開口７ｂから挿入する。第２挿入穴６ｂもテーパ状に形成されているため、第２挿入穴６ｂの径が、電線端末２２の径と略同一である部分まで電線端末２２を挿入すると、電線端末２２が第２挿入部５ｂに係止される。
【００３０】
このようにして、電線端末２２を端末カバー１で被って絶縁保護した状態で、工事を行う。各縁回し線２１ｂ，２１ｂは、別々のカバーで被われるのではなく、１つの端末カバー１に接続の状態に近い位置で係止され、固定されるので、誤って他物に接触する危険を軽減することができ、配電線工事の作業をより安全に行うことができる。また、別々のカバーで被い、接続の方向と反対側にくせ付けして留める等の作業を行う必要がない。さらに、くせ付けの必要がないことから、工事後にくせ直しをして電線端末２２，２２を接続する必要もなくなり、電線端末２２，２２が相互に接触する危険を軽減することができる。
【００３１】
ここで、電線２１は、ある程度の固さを有し、曲げ方向に対して一定の形状を保っている。一方、曲げて変形させることが可能であり、曲げると元の形状に戻らず、変形した形状を保つ。このように、電線２１を曲げて変形させることをくせ付けするといい、変形前の状態に戻すことをくせ直しするという。
【００３２】
カバー本体２が透明であるため、電線端末２２が第１挿入部５ａおよび第２挿入部５ｂに係止されたか否かを、カバー本体２の外側から目視で確認することができる。さらに、各電線端末２２が離隔していることも目視できるので、作業者は、カバー本体２内で電線２１，２１同士が導通していないことを確認しながら、安心して作業を行うことができる。
【００３３】
工事終了後、各電線端末２２，２２を第１挿入部５ａおよび第２挿入部５ｂから抜き出し、電気的に接続し直す。具体的には、各電線端末２２，２２をＨスリーブ等の接続スリーブで連結し、電気的に接続する。
【００３４】
第１挿入穴６ａの開口７ａから底８ａへの向きと、第２挿入穴６ｂの開口７ｂから底８ｂへの向きとが逆向きであるので、切断後の縁回し線２１ｂ，２１ｂは、接続する方向のまま端末カバー１に係止される。このため、接続時に縁回し線２１ｂのくせ直しをする必要がないので、誤って電線端末２２同士を接触させたり、他物に接触させる危険を軽減することができる。
【００３５】
さらに、第１挿入穴６ａの底８ａが、第２挿入穴６ｂの底８ｂよりも開口７ｂ側に位置するように、第１挿入穴６ａが形成されているので、各電線端末２２，２２が接続位置よりもさらに接続方向側にくせ付けされて係止される。このため、各電線端末２２を接続する方向に引っ張らずに接続させることができ、誤って電線端末２２，２２同士を接触させる危険をより軽減することができる。
【００３６】
《その他の実施形態》
なお、上述の実施形態は、本発明の例示であって、本発明はこの例に限定されるものではない。
【００３７】
例えば、以下のような構成としてもよい。
【００３８】
すなわち、上記実施形態では、カバー本体２を直方体形状としたが、この形状には限定されない。例えば、球状としてもよい。
【００３９】
また、上記実施形態では、カバー本体２を絶縁性の材料からなるものとしたが、第１および第２挿入部５ａ，５ｂのみ、すなわち第１および第２挿入穴６ａ，６ｂの周辺部のみが、絶縁性を有していてもよく、第１および第２挿入部５ａ，５ｂに係止された各電線端末２２が絶縁保護されればよい。
【００４０】
また、上記実施形態では、第１および第２挿入穴６ａ，６ｂをテーパ状に形成したが、図５に示すように、円筒形状としてもよい。このとき、第１および第２挿入穴６ａ，６ｂの内部に複数の弾性のある突起４５を設けて、この突起４５により、電線端末２２を第１および第２挿入部５ａ，５ｂに係止すればよい。
【００４１】
また、上記実施形態では、第１および第２挿入穴６ａをテーパ状に形成し、第１および第２挿入穴６ａ，６ｂの径が、電線端末２２の径と略同一である部分まで電線端末２２を挿入することによって、電線端末２２を第１および第２挿入部５ａ，５ｂに係止したが、電線端末２２の第１および第２挿入部５ａ，５ｂへの係止の方法は、これに限定されない。例えば、第１および第２挿入穴６ａ，６ｂに電線端末２２が嵌合する嵌合凹部を形成し、電線端末２２とこれら嵌合凹部とを嵌合させて、電線端末２２を係止してもよい。
【００４２】
また、上記実施形態では、第１挿入穴６ａと第２挿入穴６ｂとは、互いの筒の軸が平行となるように形成したが、厳密な平行でなくてもよく、同一線上に形成してもよい。
【００４３】
また、上記実施形態では、第１挿入穴６ａの底８ａが、第２挿入穴６ｂの底８ｂよりも開口７ｂ側に位置するとしたが、第２挿入穴６ｂの底８ｂよりも第１挿入穴６ａの開口７ａ側に位置してもよい。ただし、配電線工事の作業をより安全に行うためには、電線端末２２は、できるだけ近づけた状態で端末カバー１に係止される方がよい。
【００４４】
また、上記実施形態では、各開口７ａ，７ｂを、カバー本体２の上下方向略中央で、かつ左右方向に重複しない位置に形成したが、この位置には限定されない。第１挿入穴６ａと第２挿入穴６ｂとが、離隔して形成されて、電線端末２２，２２同士がカバー本体２内で導通しなければよい。
【００４５】
また、上記実施形態では、カバー本体２を透明としたが、第１挿入部５ａおよび第２挿入部５ｂのみが透明であってもよく、これらに係止された電線端末２２が目視可能であればよい。
【００４６】
また、上記実施形態では、把持部１０を、図２に示すように、上側凹部１１および下側凹部１２としたが、この形状には限定されない。例えば、図６に示すように、上側面４ａおよび下側面４ｂの縁を残して全体を凹ませた凹部４６としてもよい。また、図７に示すように、カバー本体２の前後方向中央に設けた一対の凹部４７として、左右方向からのみ間接活線工具４０で把持できるものとしてもよい。また、把持部１０を設けなくてもよい。
【産業上の利用可能性】
【００４７】
以上説明したように、本発明は、配電線工事の作業をより安全に行うことができるので、間接活線工具を用いた工事を行う際に、工事後に互いに接続される２本の電線の端末を被って絶縁保護する端末カバー等について有用である。
【図面の簡単な説明】
【００４８】
【図１】本発明の実施形態に係る端末カバーの使用例を示す図である。
【図２】端末カバーの斜視図である。
【図３】図２の端末カバーの平面図である。
【図４】間接活線工具の平面図である。
【図５】その他の実施形態に係る端末カバーの断面図である。
【図６】その他の実施形態に係る把持部の一例を示す端末カバーの斜視図である。
【図７】その他の実施形態に係る把持部の一例を示す端末カバーの斜視図である。
【符号の説明】
【００４９】
１    端末カバー
２    カバー本体
５ａ  第１挿入部
５ｂ  第２挿入部
６ａ  第１挿入穴
６ｂ  第２挿入穴
７ａ  開口
７ｂ  開口
２１  電線
２２  電線端末
４０  間接活線工具
【図１】
2007288885.tif 000003
【図２】
2007288885.tif 000004
【図３】
2007288885.tif 000005
【図４】
2007288885.tif 000006
【図５】
2007288885.tif 000007
【図６】
2007288885.tif 000008
【図７】
2007288885.tif 000009